(57)【要約】  デバイスケージは、長手方向に亘ってｍ個の平行チャネルを有する第１の壁と、長手方向に亘ってｎ個の平行チャネルを有する第２の壁とを備える。幾つかの実施の形態では、ｎは、ｍに少なくとも等しい。平行チャネルのそれぞれの幅は、ドライブ取付ネジのヘッドの直径に等しい。第１の壁は、ｍ個の平行チャネルのそれぞれを跨ぐように配設された少なくとも１つのブリッジと、ｍ個の平行チャネルのそれぞれの上側に一体に連結された少なくとも１つのクランプバネとを備える。また、第２の壁は、ｎ個の平行チャネルのそれぞれを跨ぐように配設された少なくとも１つのブリッジを備える。ｍ個の平行チャネルの各端部は、第１の壁の中心に向かって内側に傾斜しながら延出している。内側への傾斜は、頂部が平坦なドーム形状に形成された円形領域で終了している。
2010525499.tif 000002
【特許請求の範囲】
【請求項１】
複数のデバイスを連結するデバイスケージにおいて、
その長手方向に亘ってｍ個の平行チャネルを有する第１のパネルと、
その第１の部分が上記ｍ個の平行チャネルを跨いで配設された複数のブリッジと、
上記ｍ個の平行チャネルのそれぞれの上側に連結された複数のクランプバネとを備え、  上記チャネルの各端部は、上記第１のパネルの中心に向かって、内側に傾斜しながら延出していることを特徴とするデバイスケージ。
【請求項２】
上記ｍ個の平行チャネルのそれぞれの幅は、ドライブ取付ネジのヘッドの直径に等しいことを特徴とする請求項１記載のデバイスケージ。
【請求項３】
上記ｍ個の平行チャネルは、等間隔に配設されていることを特徴とする請求項１記載のデバイスケージ。
【請求項４】
上記内側への傾斜は、頂部が平坦なドーム形状に形成された円形領域の中心で終了していることを特徴とする請求項１記載のデバイスケージ。
【請求項５】
上記円形領域は、力の分散を制御することを特徴とする請求項４記載のデバイスケージ。
【請求項６】
上記複数のブリッジの第１の部分は、上記第１のパネルを補強するように構成されていることを特徴とする請求項１記載のデバイスケージ。
【請求項７】
上記複数のブリッジの第１の部分は、上記第１のパネルから外側に突出していることを特徴とする請求項１記載のデバイスケージ。
【請求項８】
上記複数のクランプバネのそれぞれは、舌部と、クランプとを備えることを特徴とする請求項１記載のデバイスケージ。
【請求項９】
上記舌部の第１の部分は、上記第１のパネルから外側に延出し、該舌部の第２の部分は、該第１のパネルに平行であることを特徴とする請求項８記載のデバイスケージ。
【請求項１０】
上記舌部の第２の部分は、上記チャネルの一部の上に張り出し、位置決めされていることを特徴とする請求項９記載のデバイスケージ。
【請求項１１】
上記クランプは、傾けられた端部と、平坦な端部とを有することを特徴とする請求項８記載のデバイスケージ。
【請求項１２】
上記平坦な端部は、上記第１のパネルに平行であり、上記傾けられた端部は、該第１のパネルから離れるように傾けられていることを特徴とする請求項１１記載のデバイスケージ。
【請求項１３】
上記平坦な端部は、ドライブ取付ネジ上に位置決めされていることを特徴とする請求項１１記載のデバイスケージ。
【請求項１４】
上記クランプは、１．５ｋｇｆのクランプ力を有することを特徴とする請求項８記載のデバイスケージ。
【請求項１５】
上記クランプ力は、上記デバイスの振動を防止するように構成されていることを特徴とする請求項１４記載のデバイスケージ。
【請求項１６】
上記クランプ力は、当該デバイスケージのがたつき音を制限するように構成されていることを特徴とする請求項１４記載のデバイスケージ。
【請求項１７】
上記クランプは、上記チャネルの一部の上に張り出し、位置決めされていることを特徴とする請求項８記載のデバイスケージ。
【請求項１８】
上記複数のクランプバネは、摩擦ダンパ特性を有することを特徴とする請求項１記載のデバイスケージ。
【請求項１９】
１．その長手方向に亘ってｎ個の平行チャネルを有する第２のパネルと、
２．上記ｎ個の平行チャネルのそれぞれを跨ぐように配設された上記複数のブリッジの第２の部分とを更に備える請求項１記載のデバイスケージ。
【請求項２０】
上記ｎ個の平行チャネルのそれぞれの幅は、ドライブ取付ネジのヘッドの直径に等しいことを特徴とする請求項１９記載のデバイスケージ。
【請求項２１】
上記ｎ個の平行チャネルは、等間隔に配設されていることを特徴とする請求項１９記載のデバイスケージ。
【請求項２２】
上記複数のブリッジの第２の部分は、上記第２のパネルを補強するように構成されていることを特徴とする請求項１９記載のデバイスケージ。
【請求項２３】
上記複数のブリッジの第２の部分は、上記第２のパネルから外側に突出していることを特徴とする請求項１９記載のデバイスケージ。
【請求項２４】
上記ｎは、上記ｍに少なくとも等しいことを特徴とする請求項１９記載のデバイスケージ。
【請求項２５】
上記第１のパネル及び上記第２のパネルに連結された底面パネルを更に備える請求項１９記載のデバイスケージ。
【請求項２６】
長手方向に亘るｍ個の平行チャネルを有する第１の壁と、
長手方向に亘るｎ個の平行チャネルを有する第２の壁とを備え、
上記チャネルの各端部は、上記第１の壁の中心に向かって、内側に傾斜しながら延出しており、
上記ｎは、上記ｍに少なくとも等しいデバイスケージ。
【請求項２７】
上記第１の壁は、
１．上記ｍ個の平行チャネルのそれぞれを跨ぐように配設された少なくとも１つのブリッジと、
２．上記ｍ個の平行チャネルの上側に一体に形成された少なくとも１つのクランプバネとを備えることを特徴とする請求項２６記載のデバイスケージ。
【請求項２８】
上記ｍ個の平行チャネルのそれぞれの幅は、ドライブ取付ネジのヘッドの直径に等しいことを特徴とする請求項２６記載のデバイスケージ。
【請求項２９】
上記ｍ個の平行チャネルは、等間隔に配設されていることを特徴とする請求項２６記載のデバイスケージ。
【請求項３０】
上記内側への傾斜は、頂部が平坦なドーム形状に形成された円形領域の中心で終了していることを特徴とする請求項２６記載のデバイスケージ。
【請求項３１】
上記円形領域は、力の分散を制御することを特徴とする請求項３０記載のデバイスケージ。
【請求項３２】
上記少なくとも１つのブリッジは、上記第１の壁を補強するように構成されていることを特徴とする請求項２７記載のデバイスケージ。
【請求項３３】
上記少なくとも１つのブリッジは、上記第１の壁から外側に突出していることを特徴とする請求項２７記載のデバイスケージ。
【請求項３４】
上記少なくとも１つのクランプバネは、舌部と、クランプとを備えることを特徴とする請求項２７記載のデバイスケージ。
【請求項３５】
上記舌部の第１の部分は、上記第１の壁から外側に延出し、該舌部の第２の部分は、該第１の壁に平行であることを特徴とする請求項３４記載のデバイスケージ。
【請求項３６】
上記舌部の第２の部分は、上記チャネルの一部の上に張り出し、位置決めされていることを特徴とする請求項３５記載のデバイスケージ。
【請求項３７】
上記クランプは、傾けられた端部と、平坦な端部とを有することを特徴とする請求項３４記載のデバイスケージ。
【請求項３８】
上記平坦な端部は、上記第１の壁に平行であり、上記傾けられた端部は、該第１の壁から離れるように傾けられていることを特徴とする請求項３７記載のデバイスケージ。
【請求項３９】
上記平坦な端部は、ドライブ取付ネジ上に位置決めされていることを特徴とする請求項３８記載のデバイスケージ。
【請求項４０】
上記クランプは、１．５ｋｇｆのクランプ力を有することを特徴とする請求項３４記載のデバイスケージ。
【請求項４１】
上記クランプ力は、デバイスの振動を防止するように構成されていることを特徴とする請求項４０記載のデバイスケージ。
【請求項４２】
上記クランプ力は、当該デバイスケージのがたつき音を制限するように構成されていることを特徴とする請求項４０記載のデバイスケージ。
【請求項４３】
上記クランプは、上記チャネルの一部の上に張り出し、位置決めされていることを特徴とする請求項３４記載のデバイスケージ。
【請求項４４】
上記少なくとも１つクランプバネは、摩擦ダンパ特性を有することを特徴とする請求項２７記載のデバイスケージ。
【請求項４５】
上記第２の壁は、ｎ個の平行チャネルのそれぞれを跨ぐように配設された少なくとも１つのブリッジを備えることを特徴とする請求項２６記載のデバイスケージ。
【請求項４６】
上記ｎ個の平行チャネルのそれぞれの幅は、ドライブ取付ネジのヘッドの直径に等しいことを特徴とする請求項２６記載のデバイスケージ。
【請求項４７】
上記ｎ個の平行チャネルは、等間隔に配設されていることを特徴とする請求項２６記載のデバイスケージ。
【請求項４８】
上記少なくとも１つのブリッジは、上記第２の壁を補強するように構成されていることを特徴とする請求項４５記載のデバイスケージ。
【請求項４９】
上記少なくとも１つのブリッジは、上記第２の壁から外側に突出していることを特徴とする請求項４５記載のデバイスケージ。
【請求項５０】
シャーシの壁において、
１．当該壁の長手方向に亘る少なくとも１つの細長い開口と、
２．上記少なくとも１つの細長い開口を跨ぐように配設された少なくとも１つのブリッジとを備え、
上記少なくとも１つの細長い開口の各端部は、当該壁の中心に向かって、内側に傾斜しながら延出していることを特徴とする壁。
【請求項５１】
上記内側への傾斜は、頂部が平坦なドーム形状に形成された円形領域で終了していることを特徴とする請求項５０記載の壁。
【請求項５２】
上記円形領域は、力の分散を制御することを特徴とする請求項５１記載の壁。
【請求項５３】
上記少なくとも１つのブリッジは、当該壁を補強するように構成されていることを特徴とする請求項５０記載の壁。
【請求項５４】
上記少なくとも１つのブリッジは、当該壁から外側に突出していることを特徴とする請求項５０記載の壁。
【請求項５５】
上記少なくとも１つの細長い開口の上側に一体に形成された複数のクランプバネを更に備える請求項５０記載の壁。
【請求項５６】
上記複数のクランプバネのそれぞれは、舌部と、クランプとを備えることを特徴とする請求項５５記載の壁。
【請求項５７】
上記舌部の第１の部分は、当該壁から外側に延出し、該舌部の第２の部分は、当該壁に平行であることを特徴とする請求項５６記載の壁。
【請求項５８】
上記舌部の第２の部分は、上記少なくとも１つの細長い開口の一部の上に張り出し、位置決めされていることを特徴とする請求項５７記載の壁。
【請求項５９】
上記クランプは、傾けられた端部と、平坦な端部とを有することを特徴とする請求項５７記載の壁。
【請求項６０】
上記平坦な端部は、当該壁に平行であり、上記傾けられた端部は、当該壁から離れるように傾けられていることを特徴とする請求項５９記載の壁。
【請求項６１】
上記平坦な端部は、ドライブ取付ネジ上に位置決めされていることを特徴とする請求項５９記載の壁。
【請求項６２】
上記クランプは、１．５ｋｇｆのクランプ力を有することを特徴とする請求項５６記載の壁。
【請求項６３】
上記クランプ力は、デバイスの振動を防止するように構成されていることを特徴とする請求項６２記載の壁。
【請求項６４】
上記クランプ力は、上記シャーシのがたつき音を制限するように構成されていることを特徴とする請求項６２記載の壁。
【請求項６５】
上記クランプは、上記少なくとも１つの細長い開口上に張り出し、位置決めされていることを特徴とする請求項５６記載の壁。
【請求項６６】
上記複数のクランプバネは、摩擦ダンパ特性を有することを特徴とする請求項５５記載の壁。
【発明の詳細な説明】
【関連出願の相互参照】
【０００１】
本出願は、２００７年３月２９日に出願された米国仮特許出願番号第６０／９２１，２２０号、発明の名称「Primary Only Constant Voltage/Constant Current (CVCC) Control in Quasi Resonant Converter」の優先権を主張する。本出願は、米国仮特許出願番号第６０／９２１，２２０号の全体を引用によって援用する。
【技術分野】
【０００２】
本発明は、デバイスクランプに関する。詳しくは、本発明は、デバイスケージと共に設計された組合せデバイスクランプバネ（combination devices clamp spring）に関する。
【背景技術】
【０００３】
ｍユニットケージ（m-unit cage：拡張ベイ）は、例えば、光ディスクドライブ（optical disk drive：ＯＤＤ）、フロッピー（登録商標）ディスクドライブ（floppy disk drive：ＦＤＤ）、ハードディスクドライブ（hard disk drive：ＨＤＤ）、他のドライブ等のｍ個のドライブをまとめて保持するために使用される。ｍユニットケージにドライブを固定するためには、別々の取付板及び複数のネジが使用される。例えば、図１Ａ及び図１Ｂは、２個のＯＤＤ１０５及び１個のＦＤＤ１１０をまとめて保持する３ユニットケージ１００を示している。２個のＯＤＤ１０５は、ＦＤＤ１１０の上に配置される。３ユニットケージ１００は、それぞれ図１Ｃ及び図１Ｄに示すＯＤＤ取付板１１５及びＦＤＤ取付板１２０を用いて組み立てられる。ＯＤＤ取付板１１５及びＦＤＤ取付板１２０の両方は、通常、薄鋼板に単一の打抜き加工（single stamping operation）を施すことによって形成され、３ユニットケージ１００から独立（separate）している。図１Ｃに示すように、ＯＤＤ取付板１１５は、上辺に沿ったレッジ（出っ張り）１２５と、下辺の両端部に配設された１対の支持部１３０と、２対の接触バネ１４０とを備える。接触バネ１４０の第１の対は、レッジ１２５の近傍のＯＤＤ取付板１１５の上側に配設されている。接触バネ１４０の第２の対は、ＯＤＤ取付板１１５の底部に配設されている。接触バネ１４０の両方の対は、ＯＤＤに取り付けられているＯＤＤネジに対向する力を加える。図１Ｄに示すように、ＦＤＤ取付板１２０は、バー１４５と、バー１４５の底部に配置された接触バネ１４０’の対とを備える。接触バネ１４０’の対は、ＦＤＤに取り付けられるＦＤＤネジに対向する力を加える。ＯＤＤ取付板１１５及びＦＤＤ取付板１２０は、更なるネジを用いて、ＯＤＤ取付板１１５及びＦＤＤ取付板１２０を３ユニットケージ１００及び／又は他のアクセサリに取り付けるための更なる孔を有していてもよい。
【０００４】
図２Ａは、ＨＤＤ２０５を保持する１ユニットケージ２００を示している。１ユニットケージ２００は、図２Ｂに示すＨＤＤ取付板２１０を用いて組み立てられてる。ＨＤＤ取付板２１０は、通常、薄鋼板に単一の打抜き加工を施すことによって形成され、１ユニットケージ２００から独立している。図２Ｂに示すように、ＨＤＤ取付板２１０は、バー２１５と、バー２１５の上側の両端に配設されている２個のレッジ２２０と、バー２１５の下側に配設されている接触バネ２２５の対とを備える。接触バネ２２５の対は、ＨＤＤに取り付けられるＨＤＤネジに対向する力を加える。ＨＤＤ取付板２１０は、更なるネジを用いて、ＨＤＤ取付板２１０を１ユニットケージ２００及び／又は他のアクセサリに取り付けるための更なる孔を有していてもよい。
【０００５】
従来のケージ及び取付板は、多くの短所を有している。例えば、取付板の接触バネは、ケージ内でドライブが振動することを防止するために十分なクランプ力又は摩擦力を提供しない。したがって、ケージ内でドライブが振動すると、ケージががたつき、不快な騒音を発生する。通常、１個の接触バネがデバイスに対して加えるクランプ力は、０．８５ｋｇｆである。更に、取付板は、ケージから独立した部品であるので、取付板を使用することによってコストが高くなる。更に、取付板を紛失したり、間違った位置に取り付ける虞もある。
【０００６】
本発明は、少なくとも、これらの従来の技術の課題を解決する。
【発明の概要】
【課題を解決するための手段】
【０００７】
本発明の実施の形態は、デバイスケージと共に設計された組合せデバイスクランプバネ（combination devices clamp spring）を提供する。一側面においては、複数のデバイスを連結するためのデバイスケージは、その長手方向に亘ってｍ個の平行チャネルを有する第１のパネルと、複数のブリッジと、ｍ個の平行チャネルのそれぞれの上側に連結された複数のクランプバネとを備える。ｍ個の平行チャネルのそれぞれの幅は、好ましくは、ドライブ取付ネジのヘッドの直径に等しい。ｍ個の平行チャネルは、通常、等間隔に配設される。チャネルの各端部は、第１のパネルの中心に向かって、内側に傾斜しながら延出している。内側への傾斜は、頂部が平坦なドーム形状に形成された円形領域の中心で終了する。円形領域は、好ましくは、力の分散を制御する。複数のブリッジの第１の部分は、ｍ個の平行チャネルを跨いで配設される。複数のブリッジの第１の部分は、好ましくは、第１のパネルを補強するように構成される。複数のブリッジの第１の部分は、通常、第１のパネルから外側に突出している。複数のクランプバネのそれぞれは、通常、舌部（tongue）及びクランプを備える。舌部の第１の部分は、第１のパネルから外側に延出し、舌部の第２の部分は、第１のパネルに平行である。舌部の第２の部分は、チャネルの一部の上に張り出し、位置決めされている。クランプもまた、チャネルの一部の上に張り出し、位置決めされている。クランプは、傾けられた端部と、平坦な端部とを有する。平坦な端部は、第１のパネルに平行であり、傾けられた端部は、第１のパネルから離れるように傾けられている。平坦な端部は，ドライブ取付ネジ上に位置決めされている。幾つかの実施の形態では、クランプは、１．５ｋｇｆのクランプ力を有する。クランプ力は、好ましくは、デバイスの振動を防止するように構成されている。また、クランプ力は、デバイスケージのがたつき音を制限するように構成されている。このために、複数のクランプバネは、摩擦ダンパ特性を有する。幾つかの実施の形態では、デバイスケージは、その長手方向に亘ってｎ個の平行チャネルを有する第２のパネルと、ｎ個の平行チャネルのそれぞれを跨ぐように配設された複数のブリッジの第２の部分とを更に備える。ｎ個の平行チャネルのそれぞれの幅は、好ましくは、ドライブ取付ネジのヘッドの直径に等しい。ｎ個の平行チャネルは、通常、等間隔に配設されている。複数のブリッジの第２の部分は、第２のパネルを補強するように構成されている。複数のブリッジの第２の部分は、第２のパネルから外側に突出している。ｎは、ｍに少なくとも等しい。他の実施の形態では、デバイスケージは、底面パネルを更に備える。底部パネルは、好ましくは、第１のパネル及び第２のパネルに連結されている。
【０００８】
他の側面においては、デバイスケージは、長手方向に亘るｍ個の平行チャネルを有する第１の壁と、長手方向に亘るｎ個の平行チャネルを有する第２の壁とを備え、ｎは、ｍに少なくとも等しい。幾つかの実施の形態においては、第１の壁は、ｍ個の平行チャネルのそれぞれを跨ぐように配設された少なくとも１つのブリッジと、ｍ個の平行チャネルの上側に一体に形成された少なくとも１つのクランプバネとを備える。ｍ個の平行チャネルのそれぞれの幅は、ドライブ取付ネジのヘッドの直径に等しい。ｍ個の平行チャネルは、等間隔に配設されている。チャネルの各端部は、第１の壁の中心に向かって、内側に傾斜しながら延出している。内側への傾斜は、頂部が平坦なドーム形状に形成された円形領域の中心で終了している。円形領域は、好ましくは、力の分散を制御する。少なくとも１つのブリッジは、第１の壁を補強するように構成されている。少なくとも１つのブリッジは、第１の壁から外側に突出している。少なくとも１つのクランプバネは、通常、舌部と、クランプとを備える。舌部の第１の部分は、第１の壁から外側に延出し、舌部の第２の部分は、第１の壁に平行である。舌部の第２の部分は、チャネルの一部の上に張り出し、位置決めされている。クランプもまた、チャネルの一部の上に張り出し、位置決めされている。クランプは、傾けられた端部と、平坦な端部とを有する。舌部の第１の部分は、第１の壁から外側に延出し、舌部の第２の部分は、第１の壁に平行である。平坦な端部は，ドライブ取付ネジ上に位置決めされている。幾つかの実施の形態では、クランプは、１．５ｋｇｆのクランプ力を有する。クランプ力は、デバイスの振動を防止するように構成されている。また、クランプ力は、デバイスケージのがたつき音を制限するように構成されている。複数のクランプバネは、摩擦ダンパ特性を有する。他の実施の形態においては、第２の壁は、ｎ個の平行チャネルのそれぞれを跨ぐように配設された少なくとも１つのブリッジを備える。ｎ個の平行チャネルのそれぞれの幅は、ドライブ取付ネジのヘッドの直径に等しい。ｎ個の平行チャネルは、等間隔に配設されている。少なくとも１つのブリッジは、第２の壁を補強するように構成されている。少なくとも１つのブリッジは、第２の壁から外側に突出している。
【０００９】
更なる側面においては、シャーシの壁は、壁の長手方向に亘る少なくとも１つの細長い開口と、少なくとも１つの細長い開口を跨ぐように配設された少なくとも１つのブリッジとを備える。幾つかの実施の形態においては、少なくとも１つの細長い開口の各端部は、壁の中心に向かって、内側に傾斜しながら延出している。内側への傾斜は、頂部が平坦なドーム形状に形成された円形領域で終了している。円形領域は、力の分散を制御する。少なくとも１つのブリッジは、壁を補強するように構成されている。少なくとも１つのブリッジは、壁から外側に突出している。他の実施の形態においては、壁は、少なくとも１つの細長い開口の上部に一体に形成された複数のクランプバネを更に備える。複数のクランプバネのそれぞれは、舌部と、クランプとを備える。舌部の第１の部分は、壁から外側に延出し、舌部の第２の部分は、壁に平行である。舌部の第２の部分は、少なくとも１つの細長い開口の一部の上に張り出し、位置決めされている。クランプもまた、チャネルの一部の上に張り出し、位置決めされている。クランプは、傾けられた端部と、平坦な端部とを有する。平坦な端部は、壁に平行であり、傾けられた端部は、壁から離れるように傾けられている。平坦な端部は、ドライブ取付ネジ上に位置決めされている。幾つかの実施の形態においては、クランプは、１．５ｋｇｆのクランプ力を有する。クランプ力は、デバイスの振動を防止するように構成されている。クランプ力は、デバイスケージのがたつき音を制限するように構成されている。このために、複数のクランプバネは、摩擦ダンパ特性を有する。
【図面の簡単な説明】
【００１０】
【図１Ａ】１つのＯＤＤ取付板及び１つのＦＤＤ取付板を有する３ユニットケージの斜視図である。
【図１Ｂ】１つのＯＤＤ取付板及び１つのＦＤＤ取付板を有する３ユニットケージの斜視図である。
【図１Ｃ】ＯＤＤ取付板の斜視図である。
【図１Ｄ】ＦＤＤ取付板の斜視図である。
【図２Ａ】１つのＨＤＤ取付板を有する２ユニットケージの斜視図である。
【図２Ｂ】ＨＤＤ取付板の斜視図である。
【図２Ｃ】ＨＤＤ取付板の応力解析結果を示す図である。
【図３Ａ】本発明に基づくクランプバネを有するデバイスケージの斜視図である。
【図３Ｂ】本発明に基づくクランプバネを有するデバイスケージの斜視図である。
【図３Ｃ】本発明に基づく細長い矩形状の開口の右端部を示す図である。
【図３Ｄ】本発明に基づく細長い矩形状の開口の右端部を示す図である。
【図３Ｅ】本発明に基づくデバイスケージの壁の第１の表面の応力解析結果を示す図である。
【図４Ａ】本発明に基づくクランプバネを有するデスクトップコンピュータのシステムケースの斜視図である。
【図４Ｂ】本発明に基づくクランプバネを有するデスクトップコンピュータのシステムケースの斜視図である。
【図４Ｃ】システムケース内にデバイスが収納された状態の本発明に基づく側板の分解図である。
【発明を実施するための形態】
【００１１】
以下では、説明の目的のために多くの詳細事項を開示する。しかしながら、これらの具体的な詳細事項を用いることなく、本発明を実施できることは、当業者にとって明らかである。すなわち、本発明は、以下の実施の形態に限定されるものではなく、以下の説明に対応する原理及び特徴の最も広い範囲に相当するものと解釈される。
【００１２】
ｍ個のドライブをまとめて保持する従来のｍユニットケージは、独立した部品、詳しくは、取付板を用いて、ドライブの振動を防止し、これによって、ケージのがたつきを防止している。従来のｍユニットケージとは異なり、本発明の実施の形態は、デバイスケージ内でｍ個のドライブを連結する（hold together？）ためにデバイスケージと共に設計された組合せデバイスクランプバネ（combination devices clamp spring）を提供する。したがって、取付板は不要になり、及び／又はデバイスケージ内でデバイスが振動することを防止するために取付板を使用する必要がなくなる。デバイスケージ内のｍ個のドライブは、好ましくは、１つ以上の光ディスクドライブ（optical disk drive：ＯＤＤ）、１つ以上のフロッピーディスクドライブ（floppy disk drive：ＦＤＤ）、１つ以上のハードディスクドライブ（hard disk drive：ＨＤＤ）及び／又は他のドライブの任意の組合せを含む。
【００１３】
図３Ａ〜図３Ｂは、本発明に基づく複数のクランプバネ３３０を有するデバイスケージ３００の斜視図を示している。複数のクランプバネ３３０は、好ましくは、デバイスケージ３００に一体に設けられている。図３Ａは、ドライブが取り付けられていないデバイスケージ３００の斜視図を示しており、図３Ｂは、各ドライブが適切なスロットに取り付けられてドライブで埋められたデバイスケージ３００の斜視図を示している。図３Ａ〜図３Ｂに示すデバイスケージ３００は、最大４個のドライブをまとめて保持できるが、この構成は例示的な目的で示しているに過ぎず、デバイスケージ３００は、ここに示す構成に制限されないことは明らかである。４個より多い又は少ないドライブをまとめて保持する他のデバイスケージも想到される。
【００１４】
デバイスケージ３００は、通常、左パネル３０５及び右パネル３１０を備える。左パネル３０５及び右パネル３１０は、底面パネル３１５に垂直に連結されている。幾つかの実施の形態では、左パネル３０５は、底面パネル３１５の上面の端部に配設及び連結され、右パネル３１０は、底面パネル３１５の上面の一部に配設及び連結される。左パネル３０５及び右パネル３１０は、ドライブの幅に等しい距離だけ離間されている。左パネル３０５及び右パネル３１０は、好ましくは、取り外し可能な個別の部品であり、リベット、ネジ及び／又は他の締結手段を用いて底面パネル３１５に連結されている。これに代えて、左パネル３０５、右パネル３１０及び底面パネル３１５を一体に連結してもよい。
【００１５】
右パネル３１０は、内側を向く（例えば、左パネル３０５に対向する）第１の表面と、外側を向く第２の表面とを有する。幾つかの実施の形態では、右パネル３１０は、図３Ａに示すように、その長手方向に亘ってｍ個の細長い矩形状の開口又はチャネル３２０を備える。ｍ個の細長い矩形状の開口３２０は、通常、平行であり、等間隔に配設されている。ｍ個の細長い矩形状の開口３２０のそれぞれは、デバイスを取り付けることができるスロットに対応している。具体的には、細長い矩形状の開口３２０のそれぞれによって、ドライブをデバイスケージ３００に挿入することができる。細長い矩形状の開口３２０の幅は、好ましくは、ドライブ上にあるドライブ取付ネジのヘッドの直径に等しい。
【００１６】
右パネル３１０は、通常、細長い矩形状の開口３２０を跨ぐように配設された２つのブリッジ３２５を備える。ブリッジ３２５は、右パネル３１０の第２の表面から外側に突出している。ブリッジ３２５の反対端は、右パネル３１０に一体に連結されている。ブリッジ３２５は、通常、構造的な目的のために設けられる。具体的には、ブリッジ３２５は、右パネル３１０を補強するように構成されている。幾つかの実施の形態では、１つのブリッジ３２５だけが各細長い矩形状の開口３２０を跨ぐように配設される。これに代えて、各細長い矩形状の開口３２０を跨ぐように、２つより多いブリッジ３２５を配設してもよい。他の実施の形態では、各ブリッジ３２５は、右パネル３１０に一体に連結され、他のブリッジ３２５に対して、垂直方向及び水平方向に揃えられている。これに代えて、各ブリッジ３２５は、他のブリッジ３２５がどこに配設されているかに拘わらず、右パネル３１０に一体に連結してもよい。
【００１７】
図３Ｃは、本発明に基づく細長い矩形状の開口３２０の右端部を示している。細長い矩形状の開口３２０の右端部は、右パネル３１０の中心に向かって内側に傾斜しながら、上向きに延出している。傾斜開口３５０は、通常、細長い矩形状の開口３２０より狭い。傾斜開口３５０の端部の周りの円形領域３４５は、通常、頂部が平坦なドーム形状を有する。傾斜開口３５０の端部は、好ましくは、平坦な頂部で終わる。円形領域３４５は、通常、力の分散を制御する。
【００１８】
図３Ｃに示すように、クランプバネ３３０は、傾斜開口３５０の開始端に隣接して、細長い矩形状の開口３２０の右端部の上部に一体に連結されている。幾つかの実施の形態では、クランプバネ３３０は、突出する舌部（protruding tongue）３３５及びクランプ３４０を備える。突出する舌部３３５の第１の部分は、右パネル３１０の第２の表面から外側に延出している。突出する舌部３３５の第２の部分は、右パネル３１０の第２の表面に実質的に平行である。突出する舌部３３５の第２の部分は、通常、開口３２０の一部の上に張り出し、位置決めされている。クランプ３４０は、好ましくは、傾けられた端部と、平坦な端部とを有する。通常、平坦な端部は、右パネル３１０の第２の表面に実質的に平行にされ、傾けられた端部は、右パネル３１０の第２の表面から離れるように傾けられる。また、クランプ３４０は、開口３２０の一部の上に張り出し、位置決めされている。
【００１９】
細長い矩形状の開口３２０の左端部は、図示していないが、細長い矩形状の開口３２０の右端部と同様に構成される。具体的には、細長い矩形状の開口３２０の左端部は、右パネル３１０の中心に向かって内側に傾斜しながら、上向きに延出している。傾斜開口３５０’は、通常、細長い矩形状の開口３２０より狭い。傾斜開口３５０’の端部の周りの円形領域３４５’は、通常、頂部が平坦なドーム形状を有する。傾斜開口３５０’の端部は、好ましくは、平坦な頂部で終わる。なお、図３Ａに示すように、細長い矩形状の開口３２０の左端部は、スロットにデバイスを挿入できるように、右パネル３１０の左の折込側（folded side）３５５に延出している。幾つかの実施の形態では、細長い矩形状の開口３２０は、１つおきに、折込側３５５に隣接する端部の下方に延出している。この延出は、構造的な目的のためのものである。図３Ａは、折込側３５５に隣接する端部の下方に延出している第１及び第３の細長い矩形状の開口３２０を示している。更に、クランプバネ３３０’は、細長い矩形状の開口３２０の左端部の上部に一体に連結されている。クランプバネ３３０’は、クランプバネ３３０と同様に構成されている。幾つかの実施の形態では、クランプバネ３３０、３３０’の傾けられた端部は、互いに対向している。
【００２０】
図３Ａに示すように、左パネル３０５は、通常、その長手方向に亘ってｍ個の細長い矩形状の開口又はチャネル３２０’を備える。ｍ個の細長い矩形状の開口３２０’は、通常、平行であり、等間隔に配設されている。ｍ個の細長い矩形状の開口３２０’のそれぞれの一端は、スロットにデバイスを挿入できるように、左パネル３０５の折込側に延出している。左パネル３０５は、通常、細長い矩形状の開口３２０’のそれぞれを跨ぐように配設された２つのブリッジ３２５’を備える。ブリッジ３２５’は、左パネル３０５から外側に突出している。ブリッジ３２５’の反対端は、左パネル３０５に一体に連結されている。ブリッジ３２５’は、左パネル３０５を補強するように構成されている。幾つかの実施の形態では、１つのブリッジ３２５’だけが各細長い矩形状の開口３２０’を跨ぐように配設される。これに代えて、各細長い矩形状の開口３２０’を跨ぐように、２つより多いブリッジ３２５’を配設してもよい。他の実施の形態では、ブリッジ３２５’は、左パネル３０５に連結され、他のブリッジ３２５’に対して、垂直方向及び水平方向に揃えられている。これに代えて、各ブリッジ３２５’は、他のブリッジ３２５’がどこに配設されているかに拘わらず、左パネル３０５に一体に連結してもよい。更に、他の実施の形態では、左パネル３０５内のｍ個の細長い矩形状の開口３２０’のそれぞれは、右パネル３１０の対応する細長い矩形状の開口３２０に揃えられる。
【００２１】
図３Ｄは、デバイスケージ３００内にデバイスがある場合の、本発明に基づく細長い矩形状の開口３２０の右端部を示している。デバイスは、通常、１つ以上の側面に複数のネジ３６０を有する。デバイスがデバイスケージ３００内に挿入されると、細長い矩形状の開口３２０は、好ましくは、複数のネジ３６０の一部に揃う。クランプ３４０の平坦な端部は、好ましくは、ネジ３６０上に配置され、デバイスの振動を防止するクランプ力を提供する。幾つかの実施の形態では、クランプ３４０の平坦な端部によって加えられるクランプ力は、１．５ｋｇｆである。当分野において周知の通り、ドライブの使用中に、ドライブは、振動する。したがって、本発明の目的は、振動する環境において、ドライブを好適にクランプし、これによって、デバイスケージ３００のがたつき音を制限することである。他の実施の形態では、クランプバネ３３０は、摩擦ダンパ特性を有する。摩擦力は、通常、ドライブが滑り出ることを防止するために使用される。
【００２２】
材料に繰返し荷重（cyclic loading）が加えられると、累積的（progressive）で局所的な構造損傷である疲労（Fatigue）が生じる。疲労寿命サイクルは、応力に関連する。疲労寿命サイクルが短いと、寿命が短くなり、材料に著しい変形が生じる。疲労寿命サイクルが長いと、寿命が長くなり、応力及び歪みが、ある領域に限定される（confined）。図２Ｃは、ＨＤＤ取付板２１０の応力解析結果を示しており、図３Ｅは、複数のクランプバネ３３０を有する右パネル３１０の応力解析結果を示している。図２Ｃ及び図３Ｅに示すように、ＨＤＤ取付板２１０及び右パネル３１０には、同程度の応力が加わっている。したがって、複数のクランプバネ３３０を有する右パネル３１０の疲労寿命サイクルは、ＨＤＤ取付板２１０の疲労寿命サイクルより悪くない。
【００２３】
本発明のクランプ３４０は、ＨＤＤ取付板２１０と比べて、同程度又はより良好な疲労寿命サイクルを有することに加えて、ＨＤＤ取付板２１０の接触バネ２２５より強いクランプ力を提供するという利点がある。上述のように、ＨＤＤ取付板２１０のネジが加えるクランプ力は、０．８５ｋｇｆであり、本発明のクランプ３４０の平坦な端部が加えるクランプ力は、１．５ｋｇｆである。クランプ力が大きい程、デバイスが強く固定され、この結果、デバイスの振動及びケージのがたつきが防止される。このように、クランプバネ３３０は、デバイスの振動を防止及び／又は制限する。
【００２４】
他の応用例
本発明の他の応用例は、デスクトップコンピュータのシステムケースの側板に細長い矩形状の開口、ブリッジ及びクランプを設けることである。図４Ａ〜図４Ｂは、本発明に基づく複数のクランプバネ４３０を有するデスクトップコンピュータのシステムケース４００の斜視図を示している。複数のクランプバネ４３０は、好ましくは、システムケース４００に一体に形成されている。説明のために、システムケース４００は、最大ｎ個のドライブを連結できると仮定する。
【００２５】
幾つかの実施の形態では、複数のクランプバネ４３０を有する側板４１０は、システムケース４００に取り外し可能に取り付けられる。これに代えて、側板４１０は、システムケース４００に一体に連結してもよい。側板４１０は、その長手方向に亘ってｎ個の細長い矩形状の開口又はチャネル４２０を含む。ｎ個の細長い矩形状の開口４２０は、通常、平行であり、等間隔に配設されている。ｎ個の細長い矩形状の開口４２０のそれぞれは、デバイスを取り付けることができるスロットに対応している。具体的には、細長い矩形状の開口４２０のそれぞれによって、ドライブをシステムケース４００に挿入することができる。細長い矩形状の開口４２０の幅は、好ましくは、ドライブ上にあるドライブ取付ネジのヘッドの直径に等しい。
【００２６】
側板４１０は、通常、細長い矩形状の開口４２０のそれぞれを跨ぐように配設された２つのブリッジ４２５を備える。ブリッジ４２５は、側板４１０の表面から外側に突出している。ブリッジ４２５の反対端は、側板４１０に一体に連結されている。ブリッジ４２５は、側板４１０を補強するように構成されている。幾つかの実施の形態では、１つのブリッジ４２５だけが各細長い矩形状の開口４２０を跨ぐように配設される。これに代えて、各細長い矩形状の開口４２０を跨ぐように、２つより多いブリッジ４２５を配設してもよい。他の実施の形態では、各ブリッジ４２５は、側板４１０に一体に連結され、他のブリッジ４２５に対して、垂直方向及び水平方向に揃えられている。これに代えて、各ブリッジ４２５は、他のブリッジ４２５がどこに配設されるかに拘わらず、側板４１０に一体に連結してもよい。
【００２７】
図４Ｃは、本発明に基づく側板４１０の斜視図を示している。細長い矩形状の開口４２０の両端は、側板４１０の中心に向かって内側に傾斜しながら上向きに延出している。傾斜開口４５０は、通常、細長い矩形状の開口４２０より狭い。傾斜開口４５０の端部の周りの円形領域４４５は、通常、頂部が平坦なドーム形状を有する。傾斜開口４５０の端部は、好ましくは、平坦な頂部で終わる。デバイスケージ３００と同様に、細長い矩形状の開口４２０の左端部は、スロットにデバイスを挿入できるように、側板４１０の左の折込側４５５に延出している。
【００２８】
図４Ｃに示すように、クランプバネ４３０は、各傾斜開口４５０の開始端に隣接して、細長い矩形状の開口４２０の両端の上部に一体に連結されている。幾つかの実施の形態では、クランプバネ４３０は、突出する舌部４３５及びクランプ４４０を備える。突出する舌部４３５の第１の部分は、側板４１０の表面から外側に延出している。突出する舌部４３５の第２の部分は、側板４１０の表面に実質的に平行である。突出する舌部４３５の第２の部分は、通常、開口４２０の一部の上に張り出し、位置決めされている。クランプ４４０は、好ましくは、傾けられた端部と、平坦な端部とを有する。通常、平坦な端部は、側板４１０の表面に実質的に平行にされ、傾けられた端部は、側板４１０の表面から離れるように傾けられる。また、クランプ４４０は、開口４２０の一部の上に張り出し、位置決めされている。
【００２９】
図４Ａに示すように、反対側のパネル４０５は、通常、その長手方向に亘って少なくともｎ個の細長い矩形状の開口４２０’を備える。少なくともｎ個の細長い矩形状の開口４２０’は、通常、平行であり、等間隔に配設されている。少なくともｎ個の細長い矩形状の開口４２０’のそれぞれの一端は、スロットにデバイスを挿入できるように、反対側のパネル４０５の折込側に延出している。反対側のパネル４０５は、通常、細長い矩形状の開口４２０’のそれぞれを跨ぐように配設された２つのブリッジ４２５’を備える。ブリッジ４２５’は、左パネル４０５から外側に突出している。ブリッジ４２５’の反対端は、反対側のパネル４０５に一体に連結されている。ブリッジ４２５’は、左パネル４０５を補強するように構成されている。幾つかの実施の形態では、１つのブリッジ４２５’だけが各細長い矩形状の開口４２０’を跨ぐように配設される。これに代えて、各細長い矩形状の開口４２０’を跨ぐように、２つより多いブリッジ４２５’を配設してもよい。他の実施の形態では、ブリッジ４２５’は、反対側のパネル４０５に連結され、他のブリッジ４２５’に対して、垂直方向及び水平方向に揃えられている。これに代えて、各ブリッジ４２５’は、他のブリッジ４２５’がどこに配設されているかに拘わらず、左パネル４０５に一体に連結してもよい。更に、他の実施の形態では、側板４１０内のｎ個の細長い矩形状の開口４２０のそれぞれは、反対側のパネル４０５内の対応する細長い矩形状の開口４２０’に揃えられる。
【００３０】
図４Ｃは、システムケース４００内にデバイスがある場合の本発明に基づく側板４１０の分解図を示している。デバイスは、通常、デバイスの１つ以上の側面に複数のネジ４６５を有する。デバイスがシステムケース４００内に挿入されると、対応する細長い矩形状の開口４２０が複数のネジ４６５の一部に揃うクランプ４４０の平坦な端部は、好ましくは、ネジ４６５上に配置され、デバイスの振動を防止するクランプ力を提供する。幾つかの実施の形態では、クランプ４４０の平坦な端部によって加えられるクランプ力は、１．５ｋｇｆである。他の実施の形態では、クランプバネ４３０は、摩擦ダンパ特性を有する。摩擦力は、通常、ドライブが滑り出ることを防止するために使用される。
【００３１】
本発明の構成及び動作原理を明瞭に説明するために、様々な詳細を含む特定の実施の形態を用いて本発明を説明した。このような特定の実施の形態の説明及びその詳細は、特許請求の範囲を制限するものではない。デバイスケージと共に設計された組合せデバイスクランプバネに様々な変更及び修正を加えてもよいことは、当業者にとって明らかである。したがって、特許請求の範囲は、本発明の精神及び範囲に一致するように広く解釈されるべきであり、厳密な文字通りの意味に制限されるべきではない。
【図１Ａ】
2010525499.tif 000003
【図１Ｂ】
2010525499.tif 000004
【図１Ｃ】
2010525499.tif 000005
【図１Ｄ】
2010525499.tif 000006
【図２Ａ】
2010525499.tif 000007
【図２Ｂ】
2010525499.tif 000008
【図２Ｃ】
2010525499.tif 000009
【図３Ａ】
2010525499.tif 000010
【図３Ｂ】
2010525499.tif 000011
【図３Ｃ】
2010525499.tif 000012
【図３Ｄ】
2010525499.tif 000013
【図３Ｅ】
2010525499.tif 000014
【図４Ａ】
2010525499.tif 000015
【図４Ｂ】
2010525499.tif 000016
【図４Ｃ】
2010525499.tif 000017
【国際調査報告】
2010525499.tif 000018